【手続補正書】
【提出日】平成17年3月8日(2005.3.8)
【手続補正１】
【補正対象書類名】明細書
【補正対象項目名】全文
【補正方法】変更
【補正の内容】
【書類名】        明細書
【発明の名称】    コンテンツ信号とコンテンツ時間管理情報信号の記録方法、再生方法、記録装置、再生装置、相変化光ディスク媒体および光磁気ディスク媒体
【特許請求の範囲】
【請求項１】  動画映像信号、音声信号、静止画映像信号、テキストデータ信号およびメタデータ信号の少なくとも２つをシリアル信号の形態で含むコンテンツ信号と、
該コンテンツ信号のテレビフレームと同じテレビフレームのタイムコードまたは該タイムコードとＣｕｅ信号のシリアル信号からなる前記コンテンツの時間管理情報信号と
をそれぞれ符号化し、それら符号化したコンテンツ信号とコンテンツの時間管理情報信号とをランド−グルーブ構造を有する相変化光ディスク媒体または光磁気ディスク媒体の相互に隣接するグルーブ部とランド部にそれぞれ記録するようにしたことを特徴とするコンテンツ信号とコンテンツ時間管理情報信号の記録方法。
【請求項２】  請求項１記載の記録方法において、前記タイムコードをコンテンツ信号の１テレビフレーム期間にわたって繰り返し記録することを特徴とするコンテンツ信号とコンテンツ時間管理情報信号の記録方法。
【請求項３】  請求項１または２記載の記録方法において、前記コンテンツの時間管理情報信号は、ＳＭＰＴＥ１２Ｍ規格に準拠したタイムコードおよび／またはＣｕｅ信号であることを特徴とするコンテンツ信号とコンテンツ時間管理情報信号の記録方法。
【請求項４】  請求項１乃至３のいずれか１項記載の記録方法により、ランド−グルーブ構造を有する相変化光ディスク媒体または光磁気ディスク媒体の相互に隣接するグルーブ部とランド部にそれぞれ記録されている
動画映像信号、音声信号、静止画映像信号、テキストデータ信号およびメタデータ信号の少なくとも２つをシリアル信号の形態で含む符号化されたコンテンツ信号と、
該コンテンツ信号のテレビフレームと同じテレビフレームのタイムコードまたは該タイムコードとＣｕｅ信号のシリアル信号からなる前記コンテンツ信号の符号化されたコンテンツの時間管理情報信号と
を読出し、復号化するようにしたことを特徴とするコンテンツ信号とコンテンツ時間管理情報信号の再生方法。
【請求項５】  動画映像信号、音声信号、静止画映像信号、テキストデータ信号およびメタデータ信号の少なくとも２つを多重化する多重化手段、
該多重化手段により多重化された信号を符号化する第１の符号化手段、
該第１の符号化手段により符号化された信号に則った第１の記録マークをランド−グルーブ構造を有する相変化光ディスク媒体または光磁気ディスク媒体のグルーブ部に形成する手段、
前記コンテンツ信号のテレビフレームと同じテレビフレームのタイムコードまたは該タイムコードとＣｕｅ信号のシリアル信号を符号化する第２の符号化手段、および
該第２の符号化手段により符号化された信号に則った第２の記録マークをランド−グルーブ構造を有する相変化光ディスク媒体または光磁気ディスク媒体の前記第１の記録マークを形成するグルーブ部に隣接するランド部に形成する手段
を具えてなることを特徴とするコンテンツ信号とコンテンツ時間管理情報信号の記録装置。
【請求項６】  請求項５記載の装置により記録されたコンテンツ信号とコンテンツの時間管理情報信号を再生する装置であって、
ランド−グルーブ構造を有する相変化光ディスク媒体または光磁気ディスク媒体のグルーブ部に形成され、動画映像信号、音声信号、静止画映像信号、テキストデータ信号およびメタデータ信号の少なくとも２つをシリアル信号の形態で含む符号化されたコンテンツ信号に対応している記録マークを読み取る第１のマーク読み取り手段、
該第１のマーク読み取り手段により読み取られた信号を復号化する第１の復号化手段、
該第１の復号化手段により復号化された信号をデマルチプレックス化するデマルチプレックス化手段、
ランド−グルーブ構造を有する相変化光ディスク媒体または光磁気ディスク媒体の前記グルーブ部に隣接するランド部に形成され、前記コンテンツ信号のテレビフレームと同じテレビフレームのタイムコードまたは該タイムコードとＣｕｅ信号のシリアル信号に対応している記録マークを読み取る第２のマーク読み取り手段、および
該第２のマーク読み取り手段により読み取られた信号を復号化する第２の復号化手段
を具えてなることを特徴とするコンテンツ信号とコンテンツ時間管理情報信号の再生装置。
【請求項７】  請求項１乃至３のいずれか１項記載の記録方法によってコンテンツ信号とコンテンツの時間管理情報信号とが記録されていることを特徴とする相変化光ディスク媒体。
【請求項８】  請求項１乃至３のいずれか１項記載の記録方法によってコンテンツ信号とコンテンツの時間管理情報信号とが記録されていることを特徴とする光磁気ディスク媒体。
【発明の詳細な説明】
【０００１】
【発明の属する技術分野】
本発明は、コンテンツを編集、放送あるいはコンテンツを配信する際に使用するコンテンツ信号とコンテンツ時間管理情報信号の記録方法、再生方法、記録装置、再生装置、相変化光ディスク媒体および光磁気ディスク媒体に関するものである。
【０００２】
【従来の技術】
まず、従来から存在し、動画映像信号、静止画映像信号、音声信号を単独、あるいは混合して記録再生して個人で楽しむための民生用途、あるいは、コンピュータデータの大容量データ保存用として用いられるランド−グルーブ構造を有する相変化光ディスク媒体と光磁気ディスク媒体について説明する。
【０００３】
まず、ランド−グルーブ構造を有する相変化光ディスク媒体の例としては、ＰＤ（ＩＳ／ＩＥＣ１５４８５規格）、ＤＶＤ−ＲＡＭ  Ｖｅｒ．１．０（片面２．６ＧＢタイプ：ＩＳＯ／ＩＥＣ１６８２４規格）、ＤＶＤ−ＲＡＭ  Ｖｅｒ．２．１（片面４．７ＧＢタイプ）、ＤＶＤ−ＲＷ  Ｖｅｒ．１．１、＋ＲＷフォーマット（片面３．０ＧＢタイプ：ＥＣＭＡ−２７４規格）、＋ＲＷフォーマット（片面４．７ＧＢタイプ）、およびＭＭＶＦ方式等がある。
【０００４】
これら相変化光ディスク媒体のうち、ＤＶＤ−ＲＡＭやＭＭＶＦ方式ではランド部とグルーブ部の両方にコンテンツ信号を記録するようにし、また、ＤＶＤ−ＲＷや＋ＲＷフォーマットでは、主として記録するデータのアドレス信号となるピットをランド部に記録し、コンテンツ信号はグルーブ部に記録するようにしている。
【０００５】
また、ランド−グルーブ構造を有する光磁気ディスク媒体の例としては、ＭＯ（３．５インチ片面２．３ＧＢタイプ）、ＭＯ（５．２５インチ両面９．１ＧＢタイプ）、ｉＤフォーマット（直径５０ｍｍ７３０ＭＢ）等がある。
【０００６】
これら光磁気ディスク媒体は、いずれも、ランド部とグルーブ部の両方にデータが記録されるフォーマットを有するものである。
また、これら光磁気ディスク媒体は、図７に示すように、ランド部Ｌとグルーブ部Ｇとでレーザ波長の４分の１から６分の１ほどの高さの段差をもち、データ記録トラックが１μｍ以下のトラック間隔を持ちながら、中心からスパイラル状に広がるトラックを有している。
【０００７】
上述した相変化光ディスク媒体や光磁気ディスク媒体に、実際のコンテンツ信号となるデジタルデータを記録するには、コンテンツ信号を構成する各種データを多重化（マルチプレックス）してシリアルに配置し、このシリアル配置したデータをスパイラル状に広がるトラック（後述する本発明の説明で使用する図面、図３参照）にデジタル情報として記録する。また、記録したデータを再生するには、再生信号をデマルチプレックスして映像信号と音声信号とに分離し、映像信号は、映像信号と音声信号の時間的な同期を取ったうえで、関連する付加データを付して表示している。
【０００８】
このとき、コンテンツ信号の時間情報としては、例えば、書き換え型ＤＶＤの動画記録方式として代表されるＭＰＥＧ−２ Ｐｒｏｇｒａｍ Ｓｔｒｅａｍ（ＩＳＯ／ＩＥＣ１３８１８−１規格）動画圧縮並びに蓄積方式では、タイムスタンプがディスク上に記録されるコンテンツの時間管理情報として用いられる。
また、デジタル放送の伝送並びにデータの蓄積に用いる ＭＰＥＧ−２ Ｔｒａｎｓｐｏｒｔ  Ｓｔｒｅａｍ（ＩＳＯ／ＩＥＣ１３８１８−１規格）動画圧縮並びに伝送方式においては、タイムスタンプが、送信側と受信側の同期をとる目安として、あるいはデータの時間管理情報として用いられている。
【０００９】
次に、ランド−グルーブ構造を有する相変化光ディスク媒体と光磁気ディスク媒体を使用しないでコンテンツの記録再生を行う場合について説明する。
従来、テレビ放送用の高精細動画像を中心とするコンテンツの記録再生、編集、および送出の各用途に用いられる記録再生装置として放送業務用ＶＴＲが挙げられる。放送業務用ＶＴＲには、ＩＴＵ−ＲＲｅｃ．ＢＴ．６５７規格、ＩＥＣ６１１７９規格、ＩＥＣ６１３２７規格、およびＩＥＣ６１８７５規格のＶＴＲなどがある。
【００１０】
図８は、放送業務用ＶＴＲの記録フォーマットの一例を示している。
放送業務用ＶＴＲにおいては、コンテンツの記録再生と編集は、記録されているコンテンツの編集のタイミングの目安として、例えば、ＳＭＰＴＥ１２Ｍ規格に準拠したタイムコードが、動画あるいは音声コンテンツ信号とは独立したタイムコードトラックに記録されている。
【００１１】
また、放送業務用ＶＴＲにおいては、コンテンツ制作時や送出時におけるＶＴＲ再生と送出時に、あらかじめ決められた時間位置から再生することを可能にするＣｕｅ信号が、動画あるいは音声コンテンツ信号とは独立したキュートラックに記録されている。
【００１２】
これらのコンテンツの付加的な管理情報（タイムコードおよびＣｕｅ信号）については、コンテンツがテープの幅方向の大部分を占める領域に記録されるのに対し、最もデータのドロップアウトが激しく、従って、データ記録の信頼度が低いテープの端に記録されている。
【００１３】
【発明が解決しようとする課題】
しかしながら、上述した従来からの民生用途、あるいは、コンピュータデータの大容量データ保存用として用いられるランド−グルーブ構造を有する相変化光ディスク媒体または光磁気ディスク媒体（従来の民生用書き換え型光ディスク記録再生装置）を使用してコンテンツの制作を行う場合、それらディスク媒体には、とりわけ動画をはじめとしたコンテンツ編集用の時間情報となる、例えば、ＳＭＰＴＥ１２Ｍ規格のタイムコードに準拠するものは存在しない。従って、従来の民生用書き換え型光ディスク記録再生装置は、タイムコードを用いて自動再生や自動送出を行うコンテンツ制作、放送および配信業務には適していない。
【００１４】
また、従来の民生用書き換え型光ディスク記録再生装置においては、動画、静止画、音声やそれに付随するデータを多重化してシリアルに記録し、再生するときに、それら多重化した動画ほかのデータをデマルチプレックス化する方法をとっており、このとき、シリアルに記録したコンテンツの時間情報はリアルタイムに光ディスク上のデータ近傍の別領域で管理していない。
【００１５】
このため、もし、多重化したデータが光ディスク上にシリアルに記録されたとしても、データの欠損やディスク媒体の欠陥などによる不完全な記録状態など、何らかの原因で光ディスク上においてデータが不完全に記録され、コンテンツの時間経過情報がコンテンツとの関連を失った場合、動画編集などのコンテンツ制作時において、他の制作用機器との時間同期タイミングを損なってしまうという解決すべき課題がある。また、秒単位での正確なコンテンツの放送時間管理を伴うコンテンツ制作業務においても、時間情報のデータ欠損は業務運用に支障をもたらす。
【００１６】
また、従来の民生用書き換え型光ディスク記録再生装置においては、コンテンツ制作時、送出時におけるＶＴＲの再生、および送出時に必要な再生制御タイミング信号となるＣｕｅ信号の付加機能がなく、そのため、コンテンツを正確なタイミングで自動再生や自動送出する際に必要なタイミング信号、およびタイミング信号を記録する記録領域が存在せず、従って、従来の民生用書き換え型光ディスク記録再生装置はコンテンツの制作、放送、および配信業務に適していない。
【００１７】
また、ＶＴＲを使用してコンテンツの制作を行う場合、例えば、テープ状記録媒体に記録されたコンテンツの繰り返し再生がシームレスにできないなど、書き換え型光ディスク記録再生装置に比べ特殊再生の機能が制限され、放送番組などのコンテンツ制作や送出の柔軟性に欠ける。また、ＶＴＲの場合、テープ状記録媒体に記録されたコンテンツの頭出しが遅いことから、複数番組をＶＴＲテープから送出、放送するには、ディスク記録再生装置を用いた場合に比べ作業に時間や労力を要する。
【００１８】
本発明の目的は、ランド−グルーブ構造を有する相変化光ディスク媒体を使用して、業務用として十分使用に耐えるコンテンツ信号とコンテンツ時間管理情報信号の記録を可能にするコンテンツ信号とコンテンツ時間管理情報信号の記録方法、再生方法、記録装置、再生装置、相変化光ディスク媒体および光磁気ディスク媒体を提供することにある。
【００１９】
【課題を解決するための手段】
上記目的を達成するため、本発明コンテンツ信号とコンテンツ時間管理情報信号の記録方法は、動画映像信号、音声信号、静止画映像信号、テキストデータ信号およびメタデータ信号の少なくとも２つをシリアル信号の形態で含むコンテンツ信号と、該コンテンツ信号のテレビフレームと同じテレビフレームのタイムコードまたは該タイムコードとＣｕｅ信号のシリアル信号からなる前記コンテンツの時間管理情報信号とをそれぞれ符号化し、それら符号化したコンテンツ信号とコンテンツの時間管理情報信号とをランド−グルーブ構造を有する相変化光ディスク媒体または光磁気ディスク媒体の相互に隣接するグルーブ部とランド部にそれぞれ記録するようにしたことを特徴とするものである。
【００２０】
また、本発明コンテンツ信号とコンテンツ時間管理情報信号の記録方法は、前記タイムコードをコンテンツ信号の１テレビフレーム期間にわたって繰り返し記録することを特徴とするものである。
【００２１】
また、本発明コンテンツ信号とコンテンツ時間管理情報信号の記録方法は、前記コンテンツの時間管理情報信号が、ＳＭＰＴＥ１２Ｍ規格に準拠したタイムコードおよび／またはＣｕｅ信号であることを特徴とするものである。
【００２２】
また、本発明コンテンツ信号とコンテンツ時間管理情報信号の再生方法は、本発明記録方法により、ランド−グルーブ構造を有する相変化光ディスク媒体または光磁気ディスク媒体の相互に隣接するグルーブ部とランド部にそれぞれ記録されている動画映像信号、音声信号、静止画映像信号、テキストデータ信号およびメタデータ信号の少なくとも２つをシリアル信号の形態で含む符号化されたコンテンツ信号と、該コンテンツ信号のテレビフレームと同じテレビフレームのタイムコードまたは該タイムコードとＣｕｅ信号のシリアル信号からなる前記コンテンツ信号の符号化されたコンテンツの時間管理情報信号とを読出し、復号化するようにしたことを特徴とするものである。
【００２３】
また、本発明コンテンツ信号とコンテンツ時間管理情報信号の記録装置は、動画映像信号、音声信号、静止画映像信号、テキストデータ信号およびメタデータ信号の少なくとも２つを多重化する多重化手段、該多重化手段により多重化された信号を符号化する第１の符号化手段、該第１の符号化手段により符号化された信号に則った第１の記録マークをランド−グルーブ構造を有する相変化光ディスク媒体または光磁気ディスク媒体のグルーブ部に形成する手段、前記コンテンツ信号のテレビフレームと同じテレビフレームのタイムコードまたは該タイムコードとＣｕｅ信号のシリアル信号を符号化する第２の符号化手段、および該第２の符号化手段により符号化された信号に則った第２の記録マークをランド−グルーブ構造を有する相変化光ディスク媒体または光磁気ディスク媒体の前記第１の記録マークを形成するグルーブ部に隣接するランド部に形成する手段を具えてなることを特徴とするものである。
【００２４】
また、本発明コンテンツ信号とコンテンツ時間管理情報信号の再生装置は、本発明装置により記録されたコンテンツ信号とコンテンツの時間管理情報信号を再生する装置であって、ランド−グルーブ構造を有する相変化光ディスク媒体または光磁気ディスク媒体のグルーブ部に形成され、動画映像信号、音声信号、静止画映像信号、テキストデータ信号およびメタデータ信号の少なくとも２つをシリアル信号の形態で含む符号化されたコンテンツ信号に対応している記録マークを読み取る第１のマーク読み取り手段、該第１のマーク読み取り手段により読み取られた信号を復号化する第１の復号化手段、該第１の復号化手段により復号化された信号をデマルチプレックス化するデマルチプレックス化手段、ランド−グルーブ構造を有する相変化光ディスク媒体または光磁気ディスク媒体の前記グルーブ部に隣接するランド部に形成され、前記コンテンツ信号のテレビフレームと同じテレビフレームのタイムコードまたは該タイムコードとＣｕｅ信号のシリアル信号に対応している記録マークを読み取る第２のマーク読み取り手段、および該第２ののマーク読み取り手段により読み取られた信号を復号化する第２の復号化手段を具えてなることを特徴とするものである。
【００２５】
また、本発明相変化光ディスク媒体は、本発明による記録方法によってコンテンツ信号とコンテンツの時間管理情報信号とが記録されていることを特徴とするものである。
【００２６】
また、本発明光磁気ディスク媒体は、本発明による記録方法によってコンテンツ信号とコンテンツの時間管理情報信号とが記録されていることを特徴とするものである。
【００２７】
【発明の実施の形態】
以下に添付図面を参照し、発明の実施の形態に基づいて本発明を詳細に説明する。
まず、本発明によるコンテンツ信号とコンテンツ時間管理情報信号の記録装置および再生装置（以下、記録再生装置と言う）をその第１の実施形態について説明する。
図１は、本発明によるコンテンツ信号とコンテンツ時間管理情報信号の記録再生装置の第１の実施形態をブロツク図にて示している。
図１において、１はコンテンツ信号とコンテンツ時間管理情報信号の記録再生装置、２は記録再生ディスク、３，４は光ビーム、５は対物レンズ、６は支持部、７はモータ、８は回転制御回路部、９は操作部、１０は記録再生光ヘッド、１１は対物レンズ駆動回路部、１２は制御部、１３−１はグルーブ部信号記録再生手段、１３−２はランド部信号記録再生手段、１４−１はグルーブ部信号入出力処理手段、１４−２はランド部信号入出力処理手段、１５−１，１５−２は信号多重化手段、および１６−１，１６−２は信号デマルチプレックス化手段である。
【００２８】
また、図１において、２１は動画映像信号入力手段、２２は音声信号入力手段、２３は静止画映像入力手段、２４はテキストデータ信号入力手段、２５はメタデータ信号入力手段、２６はコンテンツ信号入力部、２７はタイムコード入力手段、２８はＣｕｅ信号入力手段、２９はコンテンツ時間管理情報信号入力部、３０は動画映像信号出力手段、３１は音声信号出力手段、３２は静止画映像信号出力手段、３３はテキストデータ信号出力手段、３４はメタデータ信号出力手段、３５はコンテンツ信号出力部、３６はタイムコード出力手段、３７はＣｕｅ信号出力手段、および３８はコンテンツ時間管理情報信号出力部である。
【００２９】
図１を参照して本発明コンテンツ信号とコンテンツ時間管理情報信号の記録再生装置の動作を説明する。
本発明コンテンツ信号とコンテンツ時間管理情報信号の記録再生装置１は機構部と回路部とから構成され、機構部は、ランド−グルーブ構造を有する記録再生ディスク２と、その記録再生ディスクを回転できるように支持する支持部６と、記録再生ディスク２を回転させるモータ７とを具えている。
上記において、モータ７の回転は回転制御回路部８によって制御され、回転数の設定等は制御部１２に付属する操作部９を介して制御される。
【００３０】
また、記録再生光ヘッド１０は、対物レンズ５を具え、その対物レンズを用いて、記録再生ディスク２のうち、グルーブ部へ情報を記録し、またはグルーブ部に記録されている情報を読み取るため、光ビーム３をグルーブ部上に集光させ、また、同じ対物レンズを用いて、記録再生ディスク２のうち、ランド部へ情報を記録し、またはランド部に記録されている情報を読み取るため、光ビーム４をランド部に集光せる。
さらに、本発明によるコンテンツ信号とコンテンツ時間管理情報信号の記録再生装置１は、上記光ビーム３，４を目標とする記録トラックに追随させるように記録再生光ヘッド１０を制御するための対物レンズ駆動回路部１１を具えている。
【００３１】
また、グルーブ部、ランド部それぞれに記録マークを形成する光ビーム３，４は、モータ７によって回転させられる記録再生ディスク２の最内周から最外周に向かって、並列に一定の間隔を保って相互に隣接するグルーブ部、ランド部をなぞるようにそれぞれコンテンツ信号とコンテンツ時間管理情報信号を記録していく。このとき、対物レンズ５は、光ビーム３，４をディスク２上に集光するフォーカス制御と、２つのビームのトラッキング制御を行い、記録トラックになぞりながら順次記録マークを形成していくように制御を行う。なお、これらの制御は対物レンズ５以外の手段と合わせて行うこともできる。
【００３２】
図２は、ランド−グルーブ構造を有する記録再生ディスク２（相変化光ディスク媒体または光磁気ディスク媒体）、記録再生を行う２つの光ビーム３，４、および対物レンズ５を概念的に示している。ここで、記録再生ディスク２、光ビーム３，４および対物レンズ５は図１に対応している。
図２から分かるように、記録再生ディスク２は、ディスク面に対して光ビーム３，４によって垂直に照射される光ビームの方向に高さの異なるグルーブ部Ｇとランド部Ｌからなる２種類の記録トラックを有し、グルーブ部Ｇ、ランド部Ｌにそれぞれデータを記録できるようになっている。
【００３３】
また、ランド−グルーブ構造を有する記録再生ディスク２は、概念的に、図３に示すようなＤＶＤ−ＲＯＭに類似したＤＶＤ−ＲＷやＤＶＤ−Ｒフォーマットのように、単純にスパイラル状に外周方向に記録トラックが並んでいる構造をもつものに該当すれば、ＤＶＤ−ＲＡＭやＭＭＶＦ方式のように記録領域が一定のセクターサイズで区切られたセクターフォーマット構造を有し、ランド−グルーブ構造を有する記録トラックが物理上必ずしも連続している必要はなく、ランド部Ｌとグルーブ部Ｇのペア（相互に隣接するランド部Ｌとグルーブ部Ｇ）となった記録トラックがあり、かつデータ記録上連続に外周方向に向かって記録することができるものであれば、その記録再生ディスクは本発明に適用可能である。
【００３４】
ランド−グルーブ構造を有する記録再生ディスク２に情報の記録再生を行うには、図２に示すように、ランド部Ｌに、対物レンズ５で集光された光ビーム４を、同様に、グルーブ部Ｇに、対物レンズ５で集光された光ビーム３をそれぞれ照射する。これら２つの光ビーム４，３はそれぞれ情報に応じて変調されていて、ランド部Ｌ、グルーブ部Ｇに独立に照射され、記録マークを形成する。
ここで、記録再生ディスク２は、ガラス基板またはポリカーボネート基板に相変化記録媒体を用いた光ディスク、または、光磁気ディスク媒体を用いた光磁気ディスク等、任意のものが用いられる。
【００３５】
図４は、本発明によるコンテンツ信号とコンテンツ時間管理情報信号の記録再生装置（図１参照）の記録時における処理をフローチャートで示している。
まず、フローチャートがスタートして最初の処理として、収録用カメラや据え置きの収録機器にて動画映像や音声などを収録したり、収録の過程で、カメラや収録機器内で、参照映像用静止画データや、コンテンツの時間管理情報としてＳＭＰＴＥ１２Ｍに準拠したタイムコードや収録データに関連する情報を有するメタデータの収録がある。
【００３６】
あるいは、収録した素材をもとにポストプロダクション作業やオーサリング作業などによるコンテンツ編集を行うことで、参照映像用静止画データ、スーパーインポーズ用字幕などの付加テキストデータ、およびメタデータが作成されてコンテンツが生成される。このとき、同時にタイムコードを付加したり、放送番組制作のためのスタジオ据え置き型ＶＴＲの頭出しや送出に使われるＣｕｅ信号を挿入する作業を行う。
これらコンテンツの収録の作業が、図４において、フローチャートのＳ１０１でコンテンツの収録として示されている。
【００３７】
収録されたコンテンツは、破線枠で示される信号の入力（フローチャートのＳ１）として入力される。入力された信号は、コンテンツを構成しているコンテンツ信号（フローチャートのＳ１−１）とコンテンツの時間管理情報信号（フローチャートのＳｌ−２）とに分離され、図１に示すコンテンツ信号入力部２６およびコンテンツ時間管理情報信号入力部２９に入力される。
【００３８】
ここに、コンテンツ信号は動画映像信号、音声信号、静止画映像信号、テキストデータ信号、メタデータ信号に大別され、また、コンテンツの時間管理情報信号は、コンテンツの制作、例えば、放送番組制作において、複数のコンテンツ素材から１つのコンテンツを生成する際、同期をとるためのＳＭＰＴＥ１２Ｍに準拠したタイムコード信号や、送出のタイミングや頭出しに使用されるＣｕｅ信号がある。
【００３９】
コンテンツ信号入力部２６においては、動画映像信号が動画映像信号入力手段２１に入力され、音声信号が音声信号入力手段２２に入力され、静止画映像信号が静止画映像信号入力手段２３に入力され、テキストデータ信号がテキストデータ信号入力手段２４に入力され、そしてメタデータ信号がメタデータ信号入力手段２５に入力される。これと同時に、コンテンツ時間管理情報信号入力部２９において、タイムコードがタイムコード入力手段２７に入力され、またＣｕｅ信号がある場合には、Ｃｕｅ信号がＣｕｅ信号入力手段２８に入力される。
【００４０】
コンテンツ信号入力部２６に入力されたそれぞれの信号は、信号多重化手段１５−１によって多重化され（フローチャートのＳ２−１）、シリアルデータとなってグルーブ部信号入出力処理手段１４−１に入力される。グルーブ部信号入出力処理手段は、入力されたシリアルデータを符号化信号に変換する（フローチャートのＳ３−１）。グルーブ部信号記録再生手段１３−１は、符号化信号に変換された信号を受信して記録符号に則った光記録レーザパルスを記録再生光ヘッド１０に送出する。（フローチャートのＳ４−１）。これにより、光ビーム３が記録再生ディスク２のグルーブ部Ｇ（図２参照）に照射され（フローチャートのＳ５−１）、ディスク２のグルーブ部Ｇに記録マークを形成する（フローチャートのＳ６−１）。
【００４１】
また、同時に、コンテンツ時間管理情報信号入力部２９に入力されたタイムコードとＣｕｅ信号も信号多重化手段１５−２によって多重化され（フローチャートのＳ２−２）、シリアルデータとなってランド部信号入出力処理手段１４−２に入力される。ランド部信号入出力処理手段は、入力されたシリアルデータを符号化信号に変換する（フローチャートのＳ３−２）。ランド部信号記録再生手段１３−２は、符号化信号に変換された信号を受信して記録符号に則った光記録レーザパルスを記録再生光ヘッド１０に送出する。（フローチャートのＳ４−２）。これにより、光ビーム４が記録再生ディスク２のランド部Ｌ（図２参照）に照射され（フローチャートのＳ５−２）、ディスク２のランド部Ｌに記録マークを形成する（フローチャートのＳ６−２）。
【００４２】
図５は、以上のようにして記録再生ディスク上にマークとして形成されたコンテンツ信号とコンテンツの時間管理情報信号の配置の一例を概念的に示している。
また、図５においては、ランド部Ｌを上段に、グルーブ部Ｇを下段にそれぞれ示し
ている。
まず、図５上段に示すように、ランド部Ｌに記録されるデータとしては、グルーブ部Ｇに記録されている動画像のフレームに対応したタイムコード４１とＣｕｅ信号４２が配置されている。なお、タイムコード４１は、Ｃｕｅ信号４２がそのフレームに存在しない場合、動画像１フレーム（テレビフレーム）分のデータ内に繰り返し複数のタイムコード４１が配置されている。
【００４３】
また、グルーブ部Ｇに記録されるデータとしては、図５下段に示すように、記録再生ディスク上での物理的な位置情報を示すヘッダ情報４３、コンテンツの内容について情報を記述するメタデータ４４、参照用映像などの用途に用いるデータ圧縮された静止画映像４５、音声４６、および動画像４７が順次配置されており、これらは、動画コンテンツの編集のために動画像１フレーム分が１まとめとして配置されている。
【００４４】
このようなデータの配置を行うことにより、動画像の編集においても、動画像１フレームの精度に合わせた動画像がタイムコードとデータの物理的な配置上で密接な関連性をもってタイムコードデータを基に編集作業を行うことが可能となる。また、Ｃｕｅ信号も同様に、動画像のタイミング情報を物理的な配置上で独立にもつことで、フレーム精度での送出が可能になる。
【００４５】
なお、データの配置については、グルーブ部Ｇに記録されるメタデータ、静止画映像、および音声のいずれか１つの信号、あるいはそれらのいくつかの信号が存在せず、動画像の１フレーム分にランド部Ｌ、グルーブ部Ｇの信号が同期して配置されていることもあり、また、Ｃｕｅ信号は、毎フレームに必ずしも存在するわけではでなく、必要なフレームに適宜存在することもある。
【００４６】
図６は、本発明によるコンテンツ信号とコンテンツの時間管理情報信号の記録再生装置（図１参照）の再生時における処理をフローチャートで示している。
図１を併せ参照して説明する。
記録再生ディスク２のグルーブ部Ｇ、ランド部Ｌにそれぞれ形成されているコンテンツ信号とコンテンツ時間管理情報信号に対応するマークを、光ビーム３，４によってそれぞれ独立に読み出す。
光ビーム３によって読み出したマークをグルーブ部信号記録再生手段１３−１に供給し、コンテンツ信号を再生する（フローチャートのＳ７−１）。再生したコンテンツ信号をグルーブ部信号入出力処理手段１４−１によって復号化し（フローチャートのＳ８−１）、さらに信号デマルチプレックス化手段１６−１によってそれぞれの信号にデマルチプレックス化する（フローチャートのＳ９−１）。
【００４７】
信号デマルチプレックス化手段１６−１によりデマルチプレックス化されたそれぞれの信号は、コンテンツ信号出力部３５内のそれぞれの出力手段によって再生される（フローチャートのＳ１０）。すなわち、動画映像信号が動画映像信号出力手段３０によって再生され、音声信号が音声信号出力手段３１によって再生され、静止画映像信号が静止画映像信号出力手段３２によって再生され、テキストデータ信号がテキストデータ信号出力手段３３により再生され、そしてメタデータ信号がメタデータ信号出力手段３４により再生される（フローチャートのＳ１０−１）。
【００４８】
同時に、光ビーム４によって読み出したマークをランド部信号記録再生手段１３−２に供給し、コンテンツの時間管理情報信号を再生する（フローチャートのＳ７−２）。再生したコンテンツ時間管理情報信号をランド部信号入出力処理手段１４−２によって復号化し（フローチャートのＳ８−２）、さらに信号デマルチプレックス化手段１６−２によってそれぞれの信号にデマルチプレックス化する（フローチャートのＳ９−２）。
【００４９】
信号デマルチプレックス化手段１６−２によりデマルチプレックス化されたそれぞれの信号は、コンテンツ時間管理情報信号出力部３８内のそれぞれの出力手段によって再生される（フローチャートのＳ１０）。すなわち、タイムコードがタイムコード出力手段３６にょって再生され、Ｃｕｅ信号がＣｕｅ信号出力手段３７によって再生される（フローチャートのＳ１０−２）。
【００５０】
以上により、コンテンツ信号とコンテンツの時間管理情報信号がそれぞれコンテンツ信号出力部３５とコンテンツ時間管理情報信号出力部３８から出力され、コンテンツのフレーム精度でコンテンツの再生・送出が行われる（フローチャートのＳ１０２）。
【００５１】
次に、本発明の第２の実施形態について説明する。
上述した第１の実施形態においては、グルーブ部Ｇ、ランド部Ｌに記録するための２つの光ビーム３，４を、同じ対物レンズ５を通してそれぞれグルーブ部Ｇ、ランド部Ｌに照射したが、これは、１つの対物レンズでは１つの光ビームのみを照射するようにし、２個の独立した記録再生光ヘッドを使用してグルーブ部Ｇ、ランド部Ｌにそれぞれコンテンツ信号とコンテンツの時間管理情報信号の記録再生を行うようにしてもよい。このとき、それぞれの記録再生光ヘッドが物理的に離れて存在するものとはいえ、グルーブ部Ｇに記録されるコンテンツ信号と、ランド部Ｌに記録されるコンテンツの時間管理情報信号との絶対関係が成り立つものとして記録再生される。その他、信号の記録再生を行う過程は、第一の実施形態と同じである。
【００５２】
最後に、上述した実施形態においては、記録再生ディスクは水平に回転するものとしたが、これは、必ずしも水平に回転するものである必要はなく、垂直に回転するものであってもよい。
【００５３】
【発明の効果】
本発明によれば、コンテンツ信号と、コンテンツ信号に同期してＳＭＰＴＥ１２Ｍ規格に準拠したタイムコードとＣｕｅ信号を含むコンテンツの時間管理情報信号とをランド−グルーブ構造を有する相変化光ディスクまたは光磁気ディスクに、特に、コンテンツ信号をグルーブ部に、コンテンツの時間管理情報信号をランド部に記録再生するようにしたことにより、放送および番組制作の分野において、動画制作をはじめとしたコンテンツ制作業務、とりわけ放送番組制作業務用の従来の記録ストレージとの編集互換性を保ちつつ、ディスクの高速データアクセス性能を生かし、かっ光記録によるデータ保存の高い、高度で効率的な放送番組制作をはじめとする動画コンテンツの制作を行うことが可能となる。
【００５４】
また、本発明によれば、コンテンツ信号とコンテンツの時間管理情報信号とがそれぞれ物理的に独立で、かつ互いに隣接したグルーブ部とランド部に記録されることから、コンテンツ信号に対するコンテンツの時間管理情報のフレーム精度でのリアルタイム性が保たれる。また、それぞれの領域（グルーブ部とランド部）における信号の欠損や読み取り誤りに対し、もう片方の信号の再現性が確保されるなどのメリットがある。例えば、タイムコードをベースにしたＭＡ（Ｍｕｌｔｉ  Ａｕｄｉｏ）作業などの複数機器の同期再生時に、もしグルーブ部から動画映像信号や音声信号が出力されないとしても、タイムコードの欠落による同期再生のエラーを防止することが可能となる。これにより、光ディスクをＶＴＲと同様に従来のコンテンツ制作業務に導入することが可能となり、ＶＴＲにはないノンリニア再生等の特殊再生を含めた高度なコンテンツ制作が可能となる。
【００５５】
また、本発明によれば、相変化光ディスク媒体および光磁気ディスク媒体上におけるデータ配置の特殊性から、動画像の編集においても、動画像１フレームの精度に合わせた動画像がタイムコードとデータの物理的な配置上で密接な関連性をもってタイムコードデータを基に編集作業を行うことが可能となる。また、Ｃｕｅ信号も同様に、動画像のタイミング情報を物理的な配置上で独立にもつことで、フレーム精度での送出が可能になる。
【００５６】
また、本発明によれば、コンテンツ信号を記録する領域と同じ領域にコンテンツの時間管理情報信号を記録しないことで、コンテンツ信号の記録後に、タイムコードをはじめとするコンテンツの時間管理情報信号を挿入することが可能となり、従来の業務用ＶＴＲを用いた放送番組の制作をはじめとする動画コンテンツ制作の手法をそのまま踏襲して作業することが可能となる。また、本発明に使用する相変化光ディスクまたは光磁気ディスクにＣｕｅ信号の記録再生領域を設けることで、コンテンツの時間管理情報信号を記録することが可能となり、コンテンツの精度の高いタイミングでの再生や送出が可能となる。
【００５７】
また、本発明によれば、ランド−グルーブ構造を有する相変化光ディスク媒体または光磁気ディスク媒体のグルーブ部をデータ量の多いコンテンツ信号の記録領域として使用し、ランド部をデータ量の少ないコンテンツの時間管理情報信号の記録領域として使用することにより、コンテンツの時間管理情報信号よりコンテンツ信号自体の信頼性が高くなり、動画の品質を保ち、データ欠損の少ないコンテンツ信号の再生、送出が可能となる。これにより、放送業務において欠かすことのできない信頼性の高いコンテンツの放送が可能となり、受信側で映像が表示できないなどの放送事故の防止に役立つ。
【００５８】
また、本発明によれば、タイムコードを動画１フレーム内に繰り返し複数書き込むことで、動画コンテンツ編集時のタイムコードによる同期の安定性を高めることができ、また、タイムコード欠落時のバックアップにもなり、さらにまた、動画の早送りなどにおいて高速にトラックをまたぐような特殊再生時にも、ザッピングされる動画のタイムコードを読み込むことが可能となる。
【図面の簡単な説明】
【図１】  本発明によるコンテンツ信号とコンテンツ時間管理情報信号の記録再生装置の第１の実施形態をブロツク図にて示している。
【図２】  ランド−グルーブ構造を有する記録再生ディスク、記録再生を行う２つの光ビームおよび対物レンズを概念的に示している。
【図３】  ランド−グルーブ構造を有する記録再生ディスクの構造を概念的に示している。
【図４】  本発明によるコンテンツ信号とコンテンツ時間管理情報信号の記録再生装置の記録時における処理をフローチャートで示している。
【図５】  記録再生ディスク上にマークとして形成されたコンテンツ信号とコンテンツの時間管理情報信号の配置の一例を概念的に示している。
【図６】  本発明によるコンテンツ信号とコンテンツ時間管理情報信号の記録再生装置の再生時における処理をフローチャートで示している。
【図７】  ランド−グルーブ構造を有する光磁気ディスク媒体の構造を示している。
【図８】  放送業務用ＶＴＲの記録フォーマットの一例を示している。
【符号の説明】
１  コンテンツ信号とコンテンツ時間管理情報信号の記録再生装置
２  記録再生ディスク
３，４  光ビーム
５  対物レンズ
６  支持部
７  モータ
８  回転制御回路部
９  操作部
１０  記録再生光ヘッド
１１  対物レンズ駆動回路部
１２  制御部
１３−１  グルーブ部信号記録再生手段
１３−２  ランド部信号記録再生手段
１４−１  グルーブ部信号入出力処理手段
１４−２  ランド部信号入出力処理手段
１５−１，１５−２  信号多重化手段
１６−１，１６−２  信号デマルチプレックス化手段
２１  動画映像信号入力手段
２２  音声信号入力手段
２３  静止画映像入力手段
２４  テキストデータ信号入力手段
２５  メタデータ信号入力手段
２６  コンテンツ信号入力部
２７  タイムコード入力手段
２８  Ｃｕｅ信号入力手段
２９  コンテンツの時間管理情報信号入力部
３０  動画映像信号出力手段
３１  音声信号出力手段
３２  静止画映像信号出力手段
３３  テキストデータ信号出力手段
３４  メタデータ信号出力手段
３５  コンテンツ信号出力部
３６  タイムコード出力手段
３７  Ｃｕｅ信号出力手段
３８  コンテンツの時間管理情報信号出力部
４１  タイムコード
４２  Ｃｕｅ信号
４３  ヘッダ情報
４４  メタデータ
４５  静止画映像
４６  音声
４７  動画像
【手続補正２】
【補正対象書類名】図面
【補正対象項目名】図２
【補正方法】変更
【補正の内容】
【図２】
2004032250.tif 000001
【手続補正３】
【補正対象書類名】図面
【補正対象項目名】図３
【補正方法】変更
【補正の内容】
【図３】
2004032250.tif 000002
【手続補正４】
【補正対象書類名】図面
【補正対象項目名】図４
【補正方法】変更
【補正の内容】
【図４】
2004032250.tif 000003
【手続補正５】
【補正対象書類名】図面
【補正対象項目名】図５
【補正方法】変更
【補正の内容】
【図５】
2004032250.tif 000004
【手続補正６】
【補正対象書類名】図面
【補正対象項目名】図６
【補正方法】変更
【補正の内容】
【図６】
2004032250.tif 000005
【手続補正７】
【補正対象書類名】図面
【補正対象項目名】図７
【補正方法】変更
【補正の内容】
【図７】
2004032250.tif 000006